(57)【要約】      （修正有）【課題】お気に入りの画像を容易に探し出せるようにする。【解決手段】撮像手段（３１０，３２０，３３０）で生成された画像データとユーザが前記画像データに設定したレベルを示すレベル情報とを記録媒体（メモリカードなど）に記録するメモリＩ／Ｆ部（３６０）を有するデジタルカメラ３００を提供する。画像データの縮小画像を表示する表示手段と、前記レベル情報に応じて画像データの縮小画像の表示形態を変更する表示変更手段を有する。【選択図】  図１
2005039736.tif 000002
【特許請求の範囲】
【請求項１】
撮像手段で生成された画像データとユーザが前記画像データに設定したレベルを示すレベル情報とを記録媒体に記録する記録手段を有することを特徴とする画像記録装置。
【請求項２】
前記撮像手段による撮像の終了を検出する撮像終了検出手段と、
前記撮像終了検出によって検出された撮像が終了したときからの経過時間を計測する時間計測手段と、レベル情報生成手段とをさらに有し、
前記レベル情報生成手段は、前記撮像手段により行われた撮像が終了してからあらかじめ決められた時間内において前記レベル情報を生成することを特徴とする請求項１に記載の画像記録装置。
【請求項３】
前記撮像手段で生成された画像データを表示する表示手段をさらに有することを特徴とする請求項１に記載の画像記録装置。
【請求項４】
画像データとユーザが前記画像データに設定したレベルを示すレベル情報とを入力する入力手段と、
前記画像データの縮小画像を表示する表示手段と、
前記レベル情報に応じて前記画像データの縮小画像の表示形態を変更する表示制御手段とを有することを特徴とする画像表示装置。
【請求項５】
前記表示制御手段は、前記表示手段に前記画像データの縮小画像を表示する場合、前記レベル情報に応じた枠を前記縮小画像に付加することを特徴とする請求項４に記載の画像表示装置。
【請求項６】
前記表示制御手段は、前記レベル情報に応じて前記枠の太さを変更することを特徴とする請求項５に記載の画像表示装置。
【請求項７】
前記表示制御手段は、前記レベル情報に応じて前記枠の色を変更することを特徴とする請求項５に記載の画像表示装置。
【請求項８】
前記表示制御手段は、前記表示手段に前記画像データの縮小画像を表示する場合、前記レベル情報に応じて前記縮小画像の大きさを変更することを特徴とする請求項４に記載の画像表示装置。
【請求項９】
撮像手段で生成された画像データとユーザが前記画像データに設定したレベルを示すレベル情報とを記録媒体に記録する記録工程を有することを特徴とする画像記録方法。
【請求項１０】
前記撮像手段による撮像の終了を検出する撮像終了検出工程と、
前記撮像終了検出によって検出された撮像が終了したときからの経過時間を計測する時間計測工程と、レベル情報生成工程とをさらに有し、
前記レベル情報生成工程は、前記撮像手段により行われた撮像が終了してからあらかじめ決められた時間内において前記レベル情報を生成することを特徴とする請求項９に記載の画像記録方法。
【請求項１１】
前記撮像手段で生成された画像データを表示手段に表示する表示工程をさらに有することを特徴とする請求項１０に記載の画像記録方法。
【請求項１２】
画像データとユーザが前記画像データに設定したレベルを示すレベル情報とを入力する入力工程と、
前記画像データの縮小画像を表示手段に表示する表示工程と、
前記レベル情報に応じて前記画像データの縮小画像の表示形態を変更する表示制御工程とを有することを特徴とする画像表示方法。
【請求項１３】
前記表示制御工程は、前記表示手段に前記画像データの縮小画像を表示する場合、前記レベル情報に応じた枠を前記縮小画像に付加することを特徴とする請求項１２に記載の画像表示方法。
【請求項１４】
前記表示制御工程は、前記レベル情報に応じて前記枠の太さを変更することを特徴とする請求項１３に記載の画像表示方法。
【請求項１５】
前記表示制御工程は、前記レベル情報に応じて前記枠の色を変更することを特徴とする請求項１３に記載の画像表示方法。
【請求項１６】
前記表示制御工程は、前記表示手段に前記画像データの縮小画像を表示する場合、前記レベル情報に応じて前記縮小画像の大きさを変更することを特徴とする請求項１２に記載の画像表示方法。
【発明の詳細な説明】
【技術分野】
【０００１】
本発明は、画像記録装置（デジタルカメラ、デジタルビデオカメラなど）、画像表示装置（パーソナルコンピュータ、デジタルテレビなど）、画像記録方法及び画像表示方法に関する。
【背景技術】
【０００２】
従来、フィルムを使用したカメラに代わり、メモリカードなどの記録媒体に画像を記録するデジタルカメラが普及している。
【０００３】
デジタルカメラでは、フィルムが不要であり、現像等も不要であり、撮影コストが低いという特長を有している。このため、大量の画像を保存しておくことができるようになったが、見たい画像を探し出す作業が大変であった。そこで、例えば特許文献１に示されるように、画像の重要度に基いて見たい画像を検索する方法が提案されている。
【０００４】
【特許文献１】特開平８−４４７５８号
【発明の開示】
【発明が解決しようとする課題】
【０００５】
しかしながら、昨今のＣＦカード等の記憶装置は低価格化されており、大容量化に伴い、撮影コストが低いが故に、大量の画像を撮影してしまう、といったことが多くなっている。このため、画像の閲覧時に、見たくない画像も一緒に表示されてしまい、その結果として見たい画像を表示させるのに多くの時間を要するという問題点があった。あるいは、見たい画像を探し出すのが困難になるといった課題を有していた。
【０００６】
また、引用文献１の方法によれば、画像の重要度を判断する方法として、画像の再生回数を記憶し、その回数に基づいて画像の重要度を判断する方法が記載されている。しかし、再生回数に基づく重要度の判断では、ユーザの見たい、見たくないという要求を十分に反映しているとは限らず、やはり、見たい画像を探し出すのが困難である、といった課題を有していた。
【課題を解決するための手段】
【０００７】
本発明の画像記録装置は、撮像手段で生成された画像データとユーザが前記画像データに設定したレベルを示すレベル情報とを記録媒体に記録する記録手段を有することを特徴とする。
【０００８】
本発明の画像表示装置は、画像データとユーザが前記画像データに設定したレベルを示すレベル情報とを入力する入力手段と、前記画像データの縮小画像を表示する表示手段と、前記レベル情報に応じて前記画像データの縮小画像の表示形態を変更する表示制御手段とを有することを特徴とする。
【０００９】
本発明の画像記録方法は、撮像手段で生成された画像データとユーザが前記画像データに設定したレベルを示すレベル情報とを記録媒体に記録する記録工程を有することを特徴とする。
【００１０】
本発明の画像表示方法は、画像データとユーザが前記画像データに設定したレベルを示すレベル情報とを入力する入力工程と、前記画像データの縮小画像を表示手段に表示する表示工程と、前記レベル情報に応じて前記画像データの縮小画像の表示形態を変更する表示制御工程とを有することを特徴とする。
【発明の効果】
【００１１】
本発明によれば、お気に入りの画像を容易に探し出せるようになる。
【発明を実施するための最良の形態】
【００１２】
以下、本発明の画像記録装置、画像表示装置、画像表示システム、画像記録方法、画像表示方法、コンピュータプログラム及びコンピュータ読み取り可能な記録媒体に好適な実施の形態を説明する。
（第１の実施の形態）
図１は、第１の実施の形態の画像表示システムの主要な構成要素を示すブロック図である。本実施の形態の画像表示システムは、画像入力装置の一例であるデジタルカメラ３００と、画像表示装置１００の一例であるテレビジョン受像機（以下、ＴＶ）とから構成される。
【００１３】
図１において、１０５はマイクロコンピュータを有するＣＰＵ（Central Processing Unit）であり、メモリ１１０内のプログラムに従って各構成要素を制御する。１２０は取り外し可能であり、且つ、ランダムアクセス可能な記録媒体（本実施の形態では、メモリカードを使用する）にアクセス可能なメモリＩ／Ｆ部である。
【００１４】
１３０は画像デコード部であり、画像ファイルのデコードを行う。１４０は画面構成部であり、表示部１６０が表示する画面を構成する。１５０は表示データメモリであり、表示部１６０が表示する画面を記憶する。１７０は操作部であり、ユーザの指示が入力される。操作部１７０は、赤外線を使用したリモートコントローラ（リモコン）であってもよい。
【００１５】
また、デジタルカメラ３００において、３１０はレンズ、３２０は被写体の画像を取り込む撮像素子（ＣＣＤセンサなど）、３３０は撮像素子３１０の出力をＡ／Ｄ変換するＡ／Ｄ変換器である。３４０はＡ／Ｄ変換器３３０の出力から画像データを生成し、生成した画像データをＪＰＥＧ方式で圧縮する画像処理部である。３５０は撮影画像の画像データ、サムネイル画像（縮小画像）、お気に入りレベルを示す値などを含む画像ファイルを生成するファイル生成部である。本実施の形態では、Exif形式（参考文献：IDA-49-1998 Digital Still Camera Image File Format Standard (Exchangeable image file format for Digital Still Camera:Exif) Version 2.1, JAPAN ELECTRONIC INDUSTRY DEVELOPMENT ASSOCIATION）に準拠した画像ファイル（Exifファイルという）を生成するものとする。３５１はユーザの指示を受け付ける操作部である。３６０は取り外し可能であり、且つ、ランダムアクセス可能な記録媒体（本実施の形態では、メモリカードを使用する）にアクセス可能なメモリＩ／Ｆ部である。メモリＩ／Ｆ部３６０は、ファイル生成部３５０で生成された画像ファイルをＣＦカードに格納する処理を行う。
【００１６】
３７０は、マイクロコンピュータを有するＣＰＵ（Central Processing Unit）であり、メモリ３８０内のプログラムに従って各構成要素を制御する。３９０はＬＥＤ（Light Emitting Diode）である。
【００１７】
次に、図１４を参照し、本実施の形態で用いるExifファイルのファイルフォーマットについて説明する。
Exifファイルでは、ヘッダ部のAPP1マーカーセグメントにデジタルカメラで利用される情報が格納できるような構成になっている。
【００１８】
図１４において、SOI（Start Of Image）は、ＪＰＥＧのマーカーで、ＪＰＥＧファイルの開始を表し、その値は0xFFD8である。APP1 Markerは、APP1マーカーセグメントの先頭を示すもので、セグメント内部にはＴＩＦＦデータで情報が格納される。APP1 Markerの値は、0xFFE1である。SOS（Start Of Stream）は、ＪＰＥＧのマーカーで、イメージストリームデータの開始を示し、その値は0xFFDAである。SOSに続き、イメージストリームデータが格納され、そのデータはＪＰＥＧファイルの終了を表すＪＰＥＧマーカーEOI（End Of Image）まで続く。ＥＯＩの値は、0xFFD9である。
【００１９】
以下にAPP1マーカーセグメント内部について説明する。マーカー直後の２バイトは、この領域の２バイトを含むAPP1マーカーセグメントの大きさを表す。続く６バイトはExifのヘッダである。この領域には、先頭の４バイトにExifファイルの識別子としてascii文字の"Exif"が、その後の２バイトには0x0000が格納される。以降はＴＩＦＦ形式でデータが格納される。
【００２０】
ＴＩＦＦ形式の先頭の８バイトはヘッダである。ヘッダの先頭の２バイトは、バイト並びの形式を定義しており、0x4d4d（ascii文字にして"MM"）はモトローラ形式、0x4949（同"II"）はインテル形式を表している。続く２バイトは、0x002aが格納される。ＴＩＦＦヘッダ部最後の４バイトは、最初のIFD（後述）へのオフセット値が格納される。Exifファイルにおいて、オフセット値は全てＴＩＦＦデータの開始点（"MM"または"II"の格納されている場所）から数える。ここではこのすぐ後に最初のIFDが始まるため、0x00000008という値が格納されている。
【００２１】
続いて、IFDについて説明する。IFDとは、Image File Directoryのことで通常のディスク上にあるディレクトリと同様の構造で、イメージ情報を格納している。図１５にIFDのフォーマットを示す。
【００２２】
図１５における先頭の２バイトは、このIFDに含まれるディレクトリのエントリ数を表す。その後、ディレクトリが各１２バイトづつのデータ並びとして続く。最後のディレクトリの後に、４バイトで次のIFDへのオフセット値を表す。この値が0x00000000の場合は、次のIFDは無いことを意味する。各ディレクトリ内部の構成は、以下のようになっている。先頭の２バイトは、タグ番号でありデータの種類を表している。タグ番号値とそれに対応する情報については後述する。続く２バイトは、データの格納フォーマットで、図１６に示すように定義されている。
【００２３】
続く４バイトは、データの個数を表し、最後の４バイトは、データ値もしくはデータ値へのオフセットが格納される。データ値もしくはデータへのオフセットが格納される領域には、このデータサイズが４バイト以下なら直接データの値が格納され、４バイトを超える場合は、データへのオフセット値が格納される。
【００２４】
実際のIFDのデータ構造は、以下のとおりである。Exif形式の画像に最初に含まれるIFDがIFD0（IFD of main image）で、そこから次のIFD1（IFD of thumbnail image）へリンクされ、そこでリンクが終了する。ただし、これらのIFDの中には、お気に入りレベル等の詳細なデータは含まれていない。Exif形式の場合、IFD0の中にはExif Offset（0x8769）タグが含まれている。このオフセット値が示すアドレスも、IFD形式のデータ（Exif SubIFD）が格納されており、ここに詳細情報等が格納される。
【００２５】
また、拡張されたExif形式の場合、そのExif SubIFDの中にさらにExif Interoperability Offset（0xa005）タグが含まれており、ここにIFD形式のデータ（Interoperability IFD）が格納される。ＤＣＦ仕様ではサムネイル画像のIFD1にもこのInteroperability IFDを付加することが許されている。
【００２６】
さらに、メーカー・機種によっては、Makernote（0x927c）というメーカー依存データを、IFD形式で格納することも許されるため、１つの画像ファイルには最大６個のIFDが存在する。
【００２７】
前述したIFD0、Exif SubIFD、Interoperability IFD、IFD1にて使用され得るタグをそれぞれ図１７〜図２０に示す。また、図２１にその他のタグ一覧を示す。なお、図中のCompoNoとは、そのタグデータ個数の上限を表したものである。表記が無い場合は制限の無いことを示している。
【００２８】
本実施の形態では、お気に入りレベルを示す値をMakernote IFD内のUser Commentタグ（0x9286）に格納する。User Commentタグのフォーマットを図２に示す。
【００２９】
以上の構成において、まず、デジタルカメラ３００の動作を図３のフローチャートを参照しながら説明する。
ユーザが撮影するために操作部３５１を操作すると、デジタルカメラ３００は、フォーカス、露出、ホワイトバランス、圧縮率等を適宜調整し、被写体の画像を取り込む。この動作は通常のデジタルカメラの動作と何ら変わりはない。画像の取り込みが終了すると、デジタルカメラ３００は、ある一定時間、お気に入りレベルの入力を監視する。本実施の形態では、お気に入りレベルの入力期間であることをユーザに知らしめるために、ＣＰＵ３７０はＬＥＤ３９０を点灯する（ステップＳ３１）。
【００３０】
次に、ステップＳ３２において一定の時間が経過したか否かを判断する。そして、一定の時間が経過していない場合にはステップＳ３３に進んでお気に入りレベルの入力があったか否かを判断する。本実施の形態では、操作部３５１を用いてお気に入りレベルを入力するものとする。撮影した画像が気に入った画像である場合、ユーザは操作部３５１を操作し、その画像のお気に入りレベルを入力する。お気に入りレベルの入力がなかった場合はステップＳ３２に戻る。また、ステップＳ３３においてお気に入りレベルの入力があった場合（すなわち、操作部３５１が操作された場合）はステップＳ３４に進む。ファイル生成部３５０は、Makernote IFD内のUser Commentタグに0x00000001（お気に入りレベル＝１）を格納したExifファイルを生成し、生成したExifファイルをメモリカードに書き込む（ステップＳ３４）。
【００３１】
また、ステップＳ３２の判断の結果、お気に入りレベルの入力が無いまま一定時間が経過した場合は、ステップＳ３２からステップＳ３５に進む。ファイル生成部３５０は、Makernote IFD内のUser Commentタグに0x00000000（お気に入りレベル＝０）を格納したExifファイルを生成し、メモリカードに書き込む（ステップＳ３５）。書き込みが終了すると、お気に入りレベルの入力期間が終了したことをユーザに知らしめるために、ＣＰＵ３７０はＬＥＤ３９０を消灯する（ステップＳ３６）。
【００３２】
デジタルカメラ３００で撮影した画像を閲覧するには、メモリＩ／Ｆ部３００よりメモリカードを取り外し、画像表示装置１００のメモリＩ／Ｆ部１２０に装着する。装着が完了すると、ＣＰＵ１０５はこれを検知し、自動的に画像閲覧アプリケーションを起動し、表示部１６０に初期画面を表示する。そして、操作部１７０に入力されたユーザの指示に従ってサムネイル表示画面を表示部１６０に表示する。
【００３３】
画像デコード部１３０は、メモリＩ／Ｆ部１２０からのExifファイルをデコードを行う。デコードの結果、画像、サムネイル画像及びお気に入りレベル等の情報が取得される。画面構成部１４０は、画像デコード部１３０からのサムネイル画像及びお気に入りレベルを受け取り、サムネイル表示画面を生成する。このとき、画面構成部１４０は、お気に入りレベルが１である撮影画像のサムネイル画像に枠線を付加する。
【００３４】
表示部１６０に表示されるサムネイル表示画面の一例を図４に示す。図４において、枠線が付加されているサムネイル画像３３及び３８は、お気に入りレベルが１である撮影画像の縮小画像である。
【００３５】
図４に示すようなサムネイル表示画面によれば、お気に入りの画像（ホームランを打ったときの画像など）に枠線が付加されるので、ユーザはお気に入りの画像を容易に探し出すことができる。
【００３６】
また、本実施の形態では、ユーザの指示に従ってお気に入りレベルの高い順にサムネイル画像をソートすることもできる。このとき、表示部１６０に表示されるサムネイル表示画面の一例を図５に示す。図５は、お気に入りレベルが１である撮影画像のサムネイル画像から表示を行った例である。
【００３７】
図５に示すようなサムネイル表示画面によれば、お気に入りの画像（ホームランを打ったときの画像など）から順に表示されるので、ユーザはお気に入りの画像を容易に探し出すことができる。
【００３８】
本実施の形態では、画像表示装置１００のメモリＩ／Ｆ部１２０にメモリカードが装着されると、ＣＰＵ１０５がこれを検知し、自動的に画像閲覧アプリケーションを起動するとしたが、ユーザの指示により画像閲覧アプリケーションを起動させる構成にすることも可能である。
【００３９】
また、本実施の形態は、Exif形式に準拠した画像ファイルに限るものではなく、Exif形式以外の画像ファイル形式に準拠した画像ファイルを使用することもできる。
【００４０】
（第２の実施の形態）
図６は、第２の実施の形態における画像表示システムの主要な構成要素を示すブロック図である。第２の実施の形態は、第１の実施の形態の変形例である。従って、第２の実施の形態では、第１の実施の形態と異なる点について説明する。
【００４１】
最初に、デジタルカメラ３０１の動作を説明する。ユーザが撮影するために操作部３５１を操作すると、第１の実施の形態と同様に、デジタルカメラ３０１は、フォーカス、露出、ホワイトバランス、圧縮率等を適宜調整し、被写体の画像を取り込む。
【００４２】
本実施の形態では、画像の取り込みが終了すると、デジタルカメラ３０１は、取り込んだ画像を所定期間ＬＣＤ４００に表示する。これは、現在市販されているデジタルカメラでも実現されている技術である。
【００４３】
本実施の形態では、デジタルカメラ３０１は、撮影画像を表示している期間内に、お気に入りレベルの入力、すなわち操作部３５１の操作された回数を計測する。
【００４４】
撮影画像の表示期間が終了すると、ファイル生成部３５０は、Makernote IFD内のUser Commentタグにお気に入りレベルを示す値（操作部３５１が操作された回数に相当する値）を格納したExifファイルを生成し、メモリカードに書き込む。例えば、撮影画像が表示されている期間内に、操作部３５１を一回操作すると、お気に入りレベルは１に設定される。また、例えば、撮影画像が表示されている期間内に、操作部３５１を一回操作すると、お気に入りレベルは２に設定される。
【００４５】
このように、本実施の形態では、第１の実施の形態と比較して、ユーザがお気に入りレベルの入力を撮影画像で確認後に行う点で、操作を行いやすいという効果がある。
【００４６】
撮影後、メモリカードをデジタルカメラ３０１から取り外して画像表示装置１０１に装着すると、ＴＶ１０１は、第１の実施の形態と同様に、画像閲覧アプリケーションが起動され、ユーザの指示に従ってサムネイル表示モードとなる。この場合、画像デコード部１３０は、メモリＩ／Ｆ部１２０からのExifファイルをデコードする。デコードの結果、画像、サムネイル画像及びお気に入りレベル等の情報が取得される。画面構成部１４０は、画像デコード部１３０からのサムネイル画像及びお気に入りレベルを受け取り、サムネイル表示画面を生成する。このとき、画面構成部１４０は、各撮影画像のサムネイル画像にその画像のお気に入りレベルに応じた太さの枠線を付加する。
【００４７】
表示部１６０に表示されるサムネイル表示画面の一例を図７に示す。図７において、サムネイル画像３３及び３８は、お気に入りレベルが１である撮影画像の縮小画像であり、サムネイル画像４０は、お気に入りレベルが２である撮影画像の縮小画像である。図７に示すように、サムネイル画像３３及び３８に付加された枠線の太さは、サムネイル画像４０に付加された枠線よりも細い。
【００４８】
以上により、野球観戦中、ホームランを打ったシーン、あるいは、好プレーを撮影した画像が、及び、家族、友人を撮影した画像が、枠線とともに表示されるため、視覚的に識別可能となり、ユーザはお気に入りの画像を容易に探し出すことが可能となる。さらに、野球選手の画像と、家族、友人の画像とが、異なる太さの枠線で表示されるため、これらの間での画像の識別も容易となる。
【００４９】
また、第１の実施の形態と同様に、ユーザの指示により、お気に入りレベルの値の大きい順にサムネイル画像を表示することも可能である。このときの表示されるサムネイル表示画面の一例を図８に示す。このとき、枠線も同時に表示することは言うまでもない。この場合、お気に入りの画像が先頭に表示されることになるので、ユーザはお気に入りの画像を容易に探し出すことが可能となる。またこの場合、お気に入りレベルに応じてサムネイル画像に付加する枠線の太さが変わるので、お気に入りレベルに応じた画像の閲覧も可能になる。
【００５０】
本実施の形態では、お気に入りレベルの値に応じてサムネイル画像に付加する枠線の太さを変更する構成としたが、枠線の太さの代わりに枠線の色を変更する構成とすることも可能である。また、枠線の太さの代わりにサムネイル画像の大きさを変更する構成とすることも可能である。この場合のサムネイル表示画面の一例を図９に示す。
【００５１】
（第３の実施の形態）
図２２は、第３の実施の形態における画像表示システムの主要な構成要素を示すブロック図である。第３の実施の形態は、第２の実施の形態の変形例である。従って、第３の実施の形態では、第２の実施の形態と異なる点について説明する。
【００５２】
先ず、デジタルカメラ３０２の動作を説明する。ユーザが撮影するために操作部３５１を操作すると、第２の実施の形態と同様に、デジタルカメラ３０２は、フォーカス、露出、ホワイトバランス、圧縮率等を適宜調整し、被写体の画像を取り込み、その後、取り込んだ画像を所定期間ＬＣＤ４００に表示する。
【００５３】
本実施の形態では、デジタルカメラ３０２は、撮影画像を表示している期間内に行われたお気に入りレベルの入力、すなわち＋ボタン３５２或いは−ボタン３５３の操作された回数を計測するようにしている。
撮影画像の表示期間が終了すると、ファイル生成部３５０は、Makernote IFD内のUser Commentタグにお気に入りレベルを示す値（＋ボタン３５２或いは−ボタン３５３の操作された回数に相当する値）を格納したExifファイルを生成し、メモリカードに書き込む。
本実施の形態では、お気に入りレベルを以下のように設定する。本実施の形態では、以下の式で計算される値をお気に入りレベルに設定する。
設定値 = ５ ＋ （＋ボタンの操作回数） − （−ボタンの操作回数）
例えば、＋ボタン３５２も−ボタン３５３も一度も操作されなかった場合、お気に入りレベルは５に設定される。＋ボタン３５２が２回操作された場合、お気に入りレベルは７に設定される。また、−ボタン３５３が１回操作された場合、お気に入りレベルは４に設定される。＋ボタン３５２が２回、−ボタン３５３が５回操作された場合、お気に入りレベルは２に設定される。
【００５４】
以上のように、撮影後、メモリカードをデジタルカメラ３０２より取り外し、画像表示装置１０２に装着することにより、第２の実施の形態と同様にサムネイル表示モードとなる。
【００５５】
図８を参照し、サムネイル表示画面の一例を説明する。図８において、サムネイル画像４０は、お気に入りレベルが７である撮影画像の縮小画像である。サムネイル画像３３は、お気に入りレベルが６である撮影画像の縮小画像である。サムネイル画像３８は、お気に入りレベルが６である撮影画像の縮小画像である。サムネイル画像３５は、お気に入りレベルが５である撮影画像の縮小画像である。その他のサムネイル画像も、お気に入りレベルが５である撮影画像の縮小画像である。従って、図８では、お気に入りレベルの値を４以下である撮影画像の縮小画像は表示されないことになる。
【００５６】
このように、本実施の形態では、第２の実施の形態と同様に、貴重なシーン、あるいは、よく撮れた画像が、画像一覧の先頭に表示されることにより、ユーザはお気に入りの画像を容易に探し出すことが可能となる。
さらに、ストロボが発光されなかった、ピントが合わなかった等、失敗した画像は、後方に表示されることにより、見たくない画像を見ないですむ、見たくない画像の表示時間がなくなる、といった効果がある。
【００５７】
本実施の形態では、＋ボタン３５２或いは−ボタン３５３の操作に基づいて、お気に入りレベルの値を計算する構成としたが、テンキー等の入力手段を設け、直接値を設定可能な構成としてもよい。
【００５８】
（第４の実施の形態）
第４の実施の形態は、第１の実施の形態〜第３の実施の形態と比較し、お気に入りレベルの格納方法に異なる特徴を有するものである。以下に、異なる点に関してのみ説明する。
【００５９】
本実施の形態では、メモリカード内にお気に入りレベルテーブルを作成し、そのお気に入りレベルテーブルを用いて撮影画像と該画像のお気に入りレベルとの対応付けを行う実施の形態を説明する。図１０にお気に入りレベルテーブルの一例を示す。図１０では、図１１に示すディレクトリ構造から生成されたものである。図１０において、ファイル名は、撮影した画像のファイル名でＪＰＥＧ以外のファイルフォーマットも可能である。コメントは、ユーザが追記したテキスト文章である。図１０に示すお気に入りレベルテーブルは、メモリカードのルートディレクトリに、例えば"info.tbl"というファイル名で書き込まれる。
【００６０】
前記のように構成されたメモリカードを使用しても、第１の実施の形態〜第３の実施の形態に述べた動作をすることは明らかである。
また、前述した構成の他に、図１２（ａ）に示すテーブルをディレクトリ"CTG#0066"に書き込み、図１２（ｂ）に示すテーブルをディレクトリ"CTG-0067"に書き込み、図１２（ｃ）に示すテーブルをディレクトリ"135CANON"に書き込む、といった構成であってもよい。
【００６１】
（第５の実施の形態）
前述した第１の実施の形態〜第３の実施の形態においては、メモリカードという、取り外し可能な記録媒体により、デジタルカメラ３００（３０１、３０２）より画像表示装置１００（１０１、１０２）に、画像を移動したが、これは、有線、無線を使用したデータ通信により、画像を移動する構成でもよい。
【００６２】
また、第１の実施の形態〜第３の実施の形態における画像表示システムは、画像表示装置１００（１０１、１０２）、及びデジタルカメラ３００（３０１、３０２）より構成したが、これらは一つであって何ら問題はない。画像表示装置１００とデジタルカメラ３００を一つとして構成した場合は、ＣＰＵ１０５及びＣＰＵ３７０、メモリ１１０及びメモリ３８０は、一つのＣＰＵ、一つのメモリブロックで兼ねることが可能である。また、表示部１６０とＬＣＤ４００は一つの表示手段で兼ねることが可能である。
図１３に、画像表示装置１００とデジタルカメラ３００とを一つとして構成した場合の一例を説明するブロック図を示す。
【図面の簡単な説明】
【００６３】
【図１】第１の実施の形態のシステム構成例を示すブロック図である。
【図２】お気に入りレベルを格納するフォーマットを示す図である。
【図３】デジタルカメラの処理手順を示すフローチャートである。
【図４】サムネイル表示画面の一例を示す図である。
【図５】サムネイル表示画面の一例を示す図である。
【図６】第２の実施の形態の構成例を示すブロック図である。
【図７】サムネイル表示画面の一例を示す図である。
【図８】サムネイル表示画面の一例を示す図である。
【図９】サムネイル表示画面の一例を示す図である。
【図１０】お気に入りレベルテーブルの一例を示す図である。
【図１１】メモリカードのディレクトリ構造の一例を示す図である。
【図１２】お気に入りレベルテーブルの一例を示す図である。
【図１３】第５の実施の形態の構成例を示すブロック図である。
【図１４】Exifファイルのフォーマット形式を示す図である。
【図１５】IFDのフォーマットを示す図である。
【図１６】IFDで使用するデータの種類、フォーマットを示す図である。
【図１７】IFD1にて使用され得るタグの一例を示す図である。
【図１８】IFD1にて使用され得るタグの一例を示す図である。
【図１９】IFD1にて使用され得るタグの一例を示す図である。
【図２０】IFD1にて使用され得るタグの一例を示す図である。
【図２１】IFD1にて使用され得るタグの一例を示す図である。
【図２２】第３の実施の形態のシステム構成例を示すブロック図である。
【符号の説明】
【００６４】
１００、１０１、１０２  画像表示装置
１０５  ＣＰＵ
１１０  メモリ
１２０  メモリＩ／Ｆ部
１３０  画像デコード部
１４０  画面構成部
１５０  表示データメモリ
１６０  表示部
１７０  操作部
３００、３０１、３０２  デジタルカメラ
３１０  レンズ
３２０  ＣＣＤ
３３０  Ａ／Ｄ
３４０  画像処理部
３５０  ファイル生成部
３６０  メモリＩ／Ｆ部
３７０  ＣＰＵ
３８０  メモリ
３９０  ＬＥＤ
４００  ＬＣＤ
３１〜４０  サムネイル画像（縮小画像）
【図１】
2005039736.tif 000003
【図２】
2005039736.tif 000004
【図３】
2005039736.tif 000005
【図４】
2005039736.tif 000006
【図５】
2005039736.tif 000007
【図６】
2005039736.tif 000008
【図７】
2005039736.tif 000009
【図８】
2005039736.tif 000010
【図９】
2005039736.tif 000011
【図１０】
2005039736.tif 000012
【図１１】
2005039736.tif 000013
【図１２】
2005039736.tif 000014
【図１３】
2005039736.tif 000015
【図１４】
2005039736.tif 000016
【図１５】
2005039736.tif 000017
【図１６】
2005039736.tif 000018
【図１７】
2005039736.tif 000019
【図１８】
2005039736.tif 000020
【図１９】
2005039736.tif 000021
【図２０】
2005039736.tif 000022
【図２１】
2005039736.tif 000023
【図２２】
2005039736.tif 000024